(57)【要約】【課題】  印刷物には、用紙の汚れや色味の誤差等が生じる場合があるので、オペレータが目視等により検品し、検品した結果が悪ければ再印刷させる必要がある。印刷物の再印刷を可能にしつつ、データを不正に印刷されてしまう危険性を極力少なくするとともに、確実にデータを消去できセキュリティの強化を図ることを目的とする。【解決手段】  印刷命令に基づき印刷ジョブの印刷を行い、印刷した印刷ジョブを再印刷命令に基づき再印刷する画像処理装置システムにおいて、複数ページの画像データから再印刷すべき画像データを選択し、選択されなかった画像データは消去し、選択された画像データの印刷部数をページ毎に設定して再印刷することを特徴とする画像処理装置システム。【選択図】  図５
2007118239.tif 000002
【特許請求の範囲】
【請求項１】
印刷命令に基づき印刷ジョブの印刷を行い、印刷した印刷ジョブを再印刷命令に基づき再印刷する画像処理装置システムにおいて、
複数ページからなる印刷ジョブにかかる画像データを記憶するデータ記憶手段と、前記記憶手段に記憶された複数ページの画像データから再印刷すべき画像データを選択するデータ選択手段と、選択されなかった画像データを前記記憶手段から消去するデータ消去手段と、前記選択手段により選択された画像データの印刷部数をページ毎に設定するページ設定手段と、前記データ選択手段で選択した画像データを前記ページ設定手段で設定したページ毎の印刷部数で再印刷する再印刷手段と、
を有することを特徴とする画像処理装置システム。
【請求項２】
前記画像処理装置システムは、再印刷の各種設定を行うためのタッチパネル画面を有し、前記データ選択手段は前記タッチパネル画面上で再印刷すべき画像データを選択し、前記ページ設定手段は前記タッチパネル画面上で印刷部数をページ毎に設定することを特徴とする請求項１の画像処理装置システム。
【請求項３】
印刷命令に基づきページ毎にセキュリティ情報を付加した印刷ジョブの印刷を行い、印刷した印刷ジョブを再印刷命令に基づき再印刷する画像処理装置システムにおいて、
複数ページからなる印刷ジョブにかかる画像データを記憶するデータ記憶手段と、前記記憶手段に記憶された複数ページの画像データから再印刷すべき画像データを選択するデータ選択手段と、選択されなかった画像データを前記記憶手段から消去するデータ消去手段と、前記選択手段により選択された画像データの印刷部数をページ毎に設定するページ設定手段、前記データ選択手段により選択した画像データ中にセキュリティ情報を付加したページがあるかを判別するセキュリティ判別手段と、前記セキュリティ判別手段でセキュリティ情報を付加したページを判別した場合、そのページを保護するためにオペレータが再印刷を実行する際に認証用のパスワードを入力するパスワード入力手段と、前記パスワード入力手段で入力したパスワードを認証するパスワード認証手段と、前記パスワード認証手段でパスワードが認証された場合、前記データ選択手段で選択した画像データを前記ページ設定手段で設定したページ毎の印刷部数で再印刷する再印刷手段と、
を有することを特徴とする画像処理装置システム。
【請求項４】
前記画像処理装置システムは、再印刷の各種設定を行うためのタッチパネル画面を有し、前記データ選択手段は前記タッチパネル画面上で再印刷すべき画像データを選択し、前記ページ設定手段は前記タッチパネル画面上で印刷部数をページ毎に設定し、前記パスワード入力手段は前記タッチパネル画面上でパスワードを入力することを特徴とする請求項３の画像処理装置システム。
【発明の詳細な説明】
【技術分野】
【０００１】
本発明は、印刷命令に基づき印刷ジョブの印刷を行い、再印刷命令に基づき印刷ジョブの再印刷を行う場合の画像処理技術に関する。
【背景技術】
【０００２】
従来、ユーザが印刷した印刷ジョブをハードディスク等の記憶装置に記憶し、必要な時に応じて容易に印刷ジョブを再印刷する技術が知られている。
【０００３】
従来例としては、例えば特許文献１をあげることが出来る。
【特許文献１】特開平９−１９１３７９号公報
【発明の開示】
【発明が解決しようとする課題】
【０００４】
印刷物には、用紙の汚れや色味の誤差等が生じる場合があるので、オペレータが目視等により検品し、検品した結果が悪ければ再印刷させる必要がある。そして、再印刷をさせるためには、印刷物にかかる画像データをデバイス等に保存しておく必要がある。しかし、機密性の高いデータは不正に印刷されてしまう危険性があるため、その様なデータを保存しておくことは、セキュリティ上望ましくない。また、POD市場では大量に印刷ジョブを印刷することが多く、印刷中にジャムが生じた場合など、“ページ単位”で部数等を指定して再印刷することが求められている。
【０００５】
本発明は、このような問題に鑑みてなされたものであり、その目的とするところは、コンピュータから送られた印刷命令に基づき印刷ジョブの印刷を行う画像処理装置システムにおいて、印刷した印刷ジョブを再印刷命令に基づき再印刷する画像処理装置システムを提供することにある。
【課題を解決するための手段】
【０００６】
本発明は、このような目的を達成するために、印刷命令に基づき印刷を行う画像処理装置システムにおいて、印刷命令に基づき印刷ジョブの印刷を行い、印刷した印刷ジョブを再印刷命令に基づき再印刷する画像処理装置システムにおいて、複数ページからなる印刷ジョブにかかる画像データを記憶するデータ記憶手段と、前記記憶手段に記憶された複数ページの画像データから再印刷すべき画像データを選択するデータ選択手段と、選択されなかった画像データを前記記憶手段から消去するデータ消去手段と、前記選択手段により選択された画像データの印刷部数をページ毎に設定するページ設定手段と、前記データ選択手段で選択した画像データを前記ページ設定手段で設定したページ毎の印刷部数で再印刷する再印刷手段と、を有することを特徴とする。
【発明の効果】
【０００７】
以上詳述したように、本発明によれば、コンピュータから送られた印刷命令に基づき印刷を行う画像処理装置システムにおいて、印刷物の再印刷を可能にしつつ、データを不正に印刷されてしまう危険性を極力少なくすることができる。更に、確実にデータを消去でき、セキュリティの強化を図ることができるという効果がある。
【発明を実施するための最良の形態】
【０００８】
（実施例１）
以下、本発明の実施の形態を、図面を参照して説明する。
【０００９】
図１は、本発明を適用した情報処理装置システムのシステム構成図である。図１において、リーダ部１、プリンタ部２、及び画像入出力制御部３は、マルチファンクションプリンタを構成する部分であり、このマルチファンクションプリンタは、ネットワークを介して、コンピュータ１１、ネットワークサーバ１２等の外部機器に接続されている。
【００１０】
リーダ部１は、原稿の画像を光学的に読取って光電変換し、原稿画像に応じたデジタルの画像データをプリンタ部２及び画像入出力制御部３に出力する。プリンタ部２は、リーダ部１及び画像入出力制御部３から送られた画像データを、例えば電子写真方式で記録紙上に記録する。画像入出力制御部３は、リーダ部１及びプリンタ部２に接続されており、ファクシミリ部４、ファイル部５、ネットワークインターフェース部７、ＬＩＰＳ（登録商標）（ＬＢＰ  Ｉｍａｇｅ  Ｐｒｏｃｅｓｓｉｎｇ  Ｓｙｓｔｅｍ）フォーマットを行なう第１フォーマッタ部８、ポストスクリプト（登録商標）（ＰＳ）フォーマットを行なう第２フォーマッタ部９、コア部１０などから構成されている。
【００１１】
ファクシミリ部４は、電話回線を介して受信した圧縮画像データを伸長して、この伸長された画像データをコア部１０へ転送し、また、コア部１０から転送された画像データを圧縮して、この圧縮された圧縮画像データを、電話回線を介して送信する。
【００１２】
ファイル部５には、光磁気ディスクドライブユニット６が接続されており、ファイル部５は、コア部１０から転送された画像データを圧縮し、この画像データを検索するためのキーワードとともに光磁気ディスクドライブユニット６内の光磁気ディスクに記憶させる。また、ファイル部５は、コア部１０を介して転送されたキーワードに基づいて、光磁気ディスクに記憶されている圧縮画像データを検索し、得られた圧縮画像データを読出して伸長し、伸長された画像データをコア部１０へ転送する。
【００１３】
ネットワークインターフェース部７は、パーソナルコンピュータ（ＰＣ）、ワークステーション（ＷＳ）等のコンピュータ１１とコア部１０との間のインターフェース制御を行う。ネットワークサーバ１２は、ネットワーク制御を行う。フォーマッタ部８、９は、コンピュータ１１から転送されたＰＤＬ（ページ記述言語）データをプリンタ部２で記録できる画像データに展開するものである。
【００１４】
コア部１０については後述するが、コア部１０は、リーダ部１、ファクシミリ部４、ファイル部５、ネットワークインターフェース部７、フォーマッタ部８、９の相互間でのデータの流れを制御するものである。
【００１５】
図２は、リーダ部１及びプリンタ部２を含むマルチファンクションプリンタの機械的構成を示す断面図である。
【００１６】
リーダ部１の自動原稿給送装置１０１では、複数枚の原稿３０２がスキャンする面を上向きにして原稿載置台３０１に載置される。そして、原稿載置台３０１に載置された原稿は、最終頁から順に１枚ずつ表裏反転してプラテンガラス１０２上へ給送され、原稿の読取動作が終了した後、プラテンガラス１０２上の原稿が排出される。
【００１７】
なお、原稿載置台３０１には、載置された原稿のサイズを検知する原稿サイズセンサ３０１ａが設けられている。この原稿サイズセンサ３０１ａは、例えば、原稿載置台３０１に載置された複数の原稿の各辺を揃えるための原稿セットガイド（図示省略）の位置を検知することにより、原稿のサイズを検知するように構成されている。
【００１８】
リーダ部１は、原稿がプラテンガラス（原稿台、読取台）１０２上に搬送されると、ランプ１０３を点灯した状態でスキャナユニット１０４を移動させることにより、原稿を露光走査する。この時の原稿からの反射光は、ミラー１０５、１０６、１０７、及びレンズ１０８によってＣＣＤイメージセンサ（以下「ＣＣＤ」という）１０９へ導かれる。
【００１９】
このようにして走査された原稿の画像光は、ＣＣＤ１０９によって光電変換される。ＣＣＤ１０９から出力される画像データは、Ａ／Ｄ変換等の処理が施された後、プリンタ部２及び画像入出力制御部３のコア部１０へ転送される。
【００２０】
プリンタ部２のレーザドライバ２２１は、レーザ発光部２０１を駆動するものであり、リーダ部１から出力された画像データに応じたレーザ光をレーザ発光部２０１から発光させる。このレーザ光は感光ドラム２０２に照射され、感光ドラム２０２にはレーザ光に応じた潜像が形成される。この感光ドラム２０２の潜像の部分には現像器２０３によって現像剤が付着される。
【００２１】
そして、レーザ光の照射開始と同期したタイミングで、カセット２０４又は２０５から記録紙を給紙して転写部２０６へ搬送し、感光ドラム２０２に付着された現像剤を記録紙に転写する。現像剤が転写された記録紙は定着部２０７に搬送され、定着部２０７の熱と圧力により現像剤が記像紙に定着される。定着部２０７を通過した記録紙は、片面記録が設定されている場合は、排出ローラ２０８によってそのままソータ２２０に排出され、ソータ２２０は、排出された記録紙をそれぞれのピンに収納して記録紙の仕分けを行う。なお、ソータ２２０では、仕分けが設定されていない場合は最上ビン（排紙トレー２５０）に記録紙を収納する。
【００２２】
また、両面記録が設定されている場合は、排出ローラ２０８の位置まで記録紙を搬送した後、排出ローラ２０８の回転方向を逆転させ、フラッパ２０９によって記録紙を再給紙搬送路へ導く。また、多重記録が設定されている場合は、記録紙を排出ローラ２０８の位置まで搬送しないでフラッパ２０９によって再給紙搬送路へ導く。再給紙搬送路へ導かれた記録紙は上述したタイミングで転写部２０６へ給紙される。また、フェースアップ排紙する場合は、反転排紙ユニット２３０をそのまま素通りして、ソータ２２０に排紙される。
【００２３】
一方、フェースダウン排紙の場合は、反転ユニット２３０で排紙方向を逆転させて排紙する。この場合、記録紙はいったん２３１の位置まで搬送され、搬送方向を逆にして後ろから排紙される。
【００２４】
図３は、リーダ部１の電気的な内部構成を示すブロック図である。
【００２５】
ＣＣＤ１０９から出力された画像データに対してＡ／Ｄ・ＳＨ部１１０でアナログ／デジタル変換が行われるとともに、シェーディング補正が行われる。Ａ／Ｄ・ＳＨ部１１０によって処理された画像データは、画像処理部１１１を介してプリンタ部２へ転送されるとともに、インターフェース部１１３を介して画像入出力制御部３のコア部１０へ転送される。
【００２６】
ＣＰＵ１１４は、操作部１１５で設定された設定内容に応じて画像処理部１１１及びインターフェース１１３を制御する。例えば、操作部１１５の操作によりトリミング処理を行って複写を行う複写モードが設定されている場合は、画像処理部１１１により、画像データに対するトリミング処理を行わせてプリンタ部２へ転送させる。また、操作部１１５の操作によりファクシミリ送信モードが設定されている場合は、インターフェース１１３により、画像データと設定モードに応じた制御コマンドとをコア部１０へ転送させる。
【００２７】
このようなＣＰＵ１１４で実行される制御プログラムは、メモリ１１６に記憶されており、ＣＰＵ１１４は、メモリ１１６を参照しながら制御を行う。また、メモリ１１６は、ＣＰＵ１１４の作業領域としても使われる。
【００２８】
図４は、コア部１０の電気的な内部構成を示すブロック図である。
【００２９】
リーダ部１からの画像データは、インターフェース部１２２を介してデータ処理部１２１へ転送されるとともに、リーダ部１からの制御コマンドは、インターフェース部１２２を介してＣＰＵ１２３へ転送される。データ処理部１２１は、画像の回転処理や変倍処理などの画像処理を行うものであり、リーダ部１からデータ処理部１２１へ転送された画像データは、リーダ部１から転送された制御コマンドに応じて、インターフェース部１２０を介してファクシミリ部４、ファイル部５、ネットワークインターフェース部７へ送られる。
【００３０】
コンピュータ１１から送信されてきた画像を表すＰＤＬデータは、ネットワークインターフェース部７、インターフェース部１２０を介してコア部１０のＣＰＵ１２３に入力される。すると、ＣＰＵ１２３は、そのＰＤＬデータがＬＩＰＳ（登録商標）とポストスクリプト（登録商標）のいずれの言語で記述されているかを判定し、対応するフォーマッタ部８又は９へ転送して画像データとして展開させる。この展開された画像データは、データ処理部１２１に転送された後、ファクシミリ部４やプリンタ部２へ転送される。
【００３１】
ファクシミリ部４からコア部１０へ送られた画像データは、データ処理部１２１へ転送された後、プリンタ部２やファイル部５、ネットワークインターフェース部７へ転送される。
【００３２】
また、ファイル部５からコア部１０へ送られた画像データは、データ処理部１２１へ転送された後、ブリンタ部２やファクシミリ部４、ネットワークインターフェース部７へ転送される。
【００３３】
ＣＰＵ１２３は、メモリ１２４に記憶されている制御プログラム、及びリーダ部１から転送された制御コマンドに従って、上記のような制御を行う。また、メモリ１２４は、ＣＰＵ１２３の作業領域としても使われる。
【００３４】
ネットワークインターフェース部７には、ＭＩＢ（Ｍａｎａｇｅｍｅｎｔ Ｉｎｆｏｒｍａｔｉｏｎ  Ｂａｓｅ）と呼ばれるデータベースが構築されており、ＳＮＭＰ（Ｓｉｍｐｌｅ  Ｎｅｔｗｏｒｋ  Ｍａｎａｇｅｍｅｎｔ  Ｐｒｏｔｏｃｏｌ）プロトコルを用いてネットワーク上のコンピュータと通信し、プリンタの管理が可能になっている。また、部門ＩＤごとに設定可能なプリント枚数やその他の各種設定を、装置の操作部１１５あるいはネットワーク上のコンピュータ１１から行うことができるようになっている。
【００３５】
このように、コア部１０を中心にして、原稿画像の読取り、画像のプリント、画像の送受信、画像の保存、コンピュータ１１に対するデータの入出力などの各種の機能を、単独又は複合的に実行させることができる。
【００３６】
図５は、第１の実施の形態における画像処理装置システムで実行される画像処理の手順を示すフローチャートである。この処理では、印刷命令に基づき印刷ジョブの印刷を行い、オペレータが印刷した印刷物を確認した結果に用紙の汚れや色味の誤差等が生じた場合、ページ単位で部数を指定して再印刷を行う。ここでは、画像処理装置システムが持つタッチパネル画面上で再印刷の設定を行い、再印刷を実行するフローについて説明する。
【００３７】
まず、ステップS1にて、印刷命令に基づき印刷ジョブの印刷を開始する。ステップS2にて、全ての印刷ジョブが印刷されたら、印刷を終了する。印刷した画像データは、光磁気ディスクドライブユニット６内の光磁気ディスクに記憶される。次に、ステップS3にて、オペレータは印刷物の用紙の汚れや色味の誤差等が生じているかどうかを検品する。検品結果に問題がなければ、ステップS10に進み、光磁気ディスクドライブユニット６内の光磁気ディスクに記憶した印刷ジョブにかかる画像データを全て削除し、処理を終了する。ステップS3にて、検品結果に問題があった場合、ステップS4に進み、画像処理装置システムにあるタッチパネル画面上に、それまで印刷した印刷ジョブの履歴が表示される。次に、ステップS5にて、再印刷する印刷ジョブを選択する。ステップS6では、再印刷する印刷ジョブの設定を行う。まず、再印刷するページを指定し、ページ単位で部数を指定する。次に、ステップS7に進み、再印刷命令をだす。ステップS8では、ステップS6で指定したページ以外の画像データを磁気ディスクドライブユニット６内の光磁気ディスクから削除する。次に、ステップS9に進み、再印刷を行う。
【００３８】
図６は、印刷命令に基づき印刷が終了した後に、オペレータが印刷した印刷物に用紙の汚れや色味の誤差等が生じているかどうかを検品し、検品結果を入力する検品結果入力画面400である。検品結果に問題が無い場合は、検品結果ＯＫボタン401を選択し、検品結果に問題がある場合は、検品結果ＮＧボタン402を選択する。
【００３９】
図７は、再印刷する画像データを選択した後に、画像処理装置システムのタッチパネル上に表示される、再印刷設定画面410を示している。再印刷設定画面410では、再印刷の各種設定を行う。各種設定項目411では、再印刷するページ数、再印刷、部数を指定する。再印刷設定画面410上には、10ページ分の設定を行うことができる。初期画面は、1〜10ページが表示される。画像データが10ページ以上ある場合は、次ページ表示ボタン414を選択すると、次の11〜20ページが表示される。再出力したいページを選択すると、再印刷欄に「○」が表示され、選択したページは白抜き表示される。次に部数を指定する。部数指定は、画像処理装置上にある数字キーボタンで指定する。
【００４０】
（実施例２）
実施例２では、画像処理装置システムにおいて、印刷物を再印刷する際に、磁気ディスクドライブユニット６内の光磁気ディスクに記憶した画像データを消去し、更に画像データ中にセキュリティ情報を付加したページを印刷する処理について説明する。情報処理装置システムのシステム構成等の説明は、上記、図１〜４の説明を参照。
【００４１】
図８は、第２の実施の形態における画像処理装置システムで実行される画像処理の手順を示すフローチャートである。この処理では、印刷命令に基づき印刷ジョブの印刷を行い、オペレータが印刷した印刷物を確認した結果に用紙の汚れや色味の誤差等が生じた場合に、ページ単位で部数を指定して再印刷を行う。再印刷する際に、画像データ中にセキュリティ情報を付加したページがあるかどうかを特定し（図９参照）、セキュリティがかかったページを再印刷する際のフローについて、詳細に説明する。
【００４２】
まず、ステップS21にて、印刷命令に基づき印刷ジョブの印刷を開始する。ステップS22にて、全ての印刷ジョブが印刷されたら、印刷を終了する。印刷した画像データは、光磁気ディスクドライブユニット６内の光磁気ディスクに記憶される。次に、ステップS23にて、オペレータは印刷物の用紙の汚れや色味の誤差等が生じているかどうかを検品する。検品結果に問題がなければ、ステップS33に進み、光磁気ディスクドライブユニット６内の光磁気ディスクに記憶した印刷ジョブにかかる画像データを全て削除し、処理を終了する。ステップS23にて、検品結果に問題があった場合、ステップS24に進み、画像処理装置システムにあるタッチパネル画面上に、それまで印刷した印刷ジョブの履歴が表示される。次に、ステップS25にて、再印刷する印刷ジョブを選択する。ステップS26では、再印刷する印刷ジョブの設定を行う。まず、再印刷するページを指定し、ページ単位で部数を指定する。次に、ステップS27に進み、再印刷命令をだす。ステップS28では、ステップS26で指定したページ以外の画像データを磁気ディスクドライブユニット６内の光磁気ディスクから削除する。次に、ステップS29に進み、画像データにセキュリティがかかったページがあるかどうかを判別する（図９参照）。セキュリティがかかったページがある場合は、ステップS30に進み、画像処理装置システムのタッチパネル画面上でオペレータがパスワードを入力する（図１０参照）。ステップS31 では、入力したパスワードの認証処理を行い、認証が失敗した場合はステップS30に戻り、パスワードを再入力して、ステップS31でパスワードが認証されるまで処理を繰り返す。パスワードが認証されたら、ステップS32に進み、ステップS26で設定した再印刷命令に基づき再印刷を行う。
【００４３】
再印刷後、再印刷した印刷物をオペレータが検品し、印刷物に問題があった場合は、ステップS23から、再印刷の処理を行い、全ての印刷物に検品結果に問題が無くなるまで、再印刷処理を繰り返す。
【図面の簡単な説明】
【００４４】
【図１】本発明の実施例の画像処理装置のブロック図である。
【図２】リーダ部及びプリンタ部の断面図である。
【図３】リーダ部のブロック図である。
【図４】コア部のブロック図である。
【図５】第１の実施の形態における画像処理装置システムで実行される画像処理の手順を示すフローチャートである。
【図６】検品確認を行う画面を示す図である。
【図７】再印刷の設定を行う画面を示す図である。
【図８】第２の実施の形態における画像処理装置システムで実行される画像処理の手順を示すフローチャートである。
【図９】セキュリティ情報に基づいて再印刷の設定を行う画面を示す図である。
【図１０】パスワードの入力を行う画面を示す図である。
【符号の説明】
【００４５】
１  リーダ部
２  プリンタ部
３  画像入出力制御部
４  ファクシミリ部
５  ファイル部
６  光磁気ディスクドライブユニット
７  ネットワークインターフェイス部
８  第１フォーマッタ部
９  第２フォーマッタ部
１０  コア部
１１  パーソナルコンピュータ又はワークステーション（ＰＣ／ＷＳ）
１２  ネットワークサーバー
１０１  原稿給送装置
１０２  プラテンガラス
１０３  ランプ
１０４  スキャナユニット
１０５，１０６，１０７  ミラー
１０８  レンズ
１０９  ＣＣＤイメージセンサ
１１０  Ａ／Ｄ・ＳＨ部
１１１  画像処理部
１１３  インターフェイス部
１１４  ＣＰＵ
１１５  操作部
１１６  メモリ
１２０  インターフェイス
１２１  データ処理部
１２３  ＣＰＵ
１２４  メモリ
２０１  レーザ発光部
２０２  感光ドラム
２０３  現像器
２０４，２０５  カセット
２０６  転写部
２０７  定着部
２０８  排出ローラ
２０９  フラッパ
２２０  ソータ
２２１  レーザドライバ
２３０  反転排紙ユニット
２５０  排紙トレー
【図１】
2007118239.tif 000003
【図２】
2007118239.tif 000004
【図３】
2007118239.tif 000005
【図４】
2007118239.tif 000006
【図５】
2007118239.tif 000007
【図６】
2007118239.tif 000008
【図７】
2007118239.tif 000009
【図８】
2007118239.tif 000010
【図９】
2007118239.tif 000011
【図１０】
2007118239.tif 000012